(57)【要約】【課題】シール性を高めて液漏れを防止し、塗布体の下降を規制可能なロック機構、さらに頭皮へのマッサージ効果を高くする塗布栓を実現する。【解決手段】容器本体の口筒部に密に、かつ不動に組み付く塗布栓本体と、該塗布栓本体に対して昇降及び回動変位可能かつ抜け出し不能に組み付く有頂円筒状の塗布体と、塗布栓本体と塗布体４間に介在されたスプリングとからなり、前記塗布栓本体には、ロックエリアと昇降エリアのロック部を形成し、基板の内周端に、上部を拡開させたシール筒を上端部に、下端部に垂下体を垂下設したガイド筒体を設け、塗布体には、前記ロック部と組み合わされる規制片でロック機構を形成し、天板下面には、内周面にシール筒の先端部を密摺接する内筒を、天板の中央部に設けた吐出孔を内側に位置させて垂下設し、天板の中央部にガイド筒体に密摺接し垂下体内面で間隙を形成するピストンを設けた中心軸部を垂下設してなる。【選択図】    図１
2005104544.tif 000002
【特許請求の範囲】
【請求項１】
容器本体２の口筒部３に密に、かつ不動に組み付く塗布栓本体１４と、該塗布栓本体１４に対して昇降及び回動変位可能かつ抜け出し不能に組み付く有頂円筒状の塗布体４と、該塗布体４を上方に付勢し、塗布栓本体１４と塗布体４間に介在されたスプリング２１とからなり、
前記塗布栓本体１４には、ロックエリア３１と昇降エリア３０を連続して設けたロック部２８を形成し、口筒部３上に位置するリング板状基板１７の内周端に、上部を拡開させたシール筒２４を上端部に設けると共に下端部に内径を大きくした垂下体２３を垂下設したガイド筒体２２を設けてなり、
塗布体４には、前記ロック部２８と組み合わさる規制片９を設けて、塗布体４の下降を規制及び下降解除を行い、かつ回動変位範囲を規制可能なロック機構Ｋを形成し、かつ天板１０下面には、内周面にシール筒２４の先端部を密摺接する内筒６を、該天板１０の中央部に設けた吐出孔１２を内側に位置させて垂下設し、さらに、天板１０の中央部に中心軸部７を垂下設し、該中心軸部７にはガイド筒体２２の内面に密摺接し、垂下体２３の内面で間隙２７ａを形成するピストン２６を設けてなる塗布栓。
【請求項２】
ロック機構Ｋの規制片９は、塗布体４の天板１０の外端に周設した外筒５の内壁に内向きに突設し、ロック部２８は、塗布栓本体１４の基板１７上に立設した内筒部２０の上端を、塗布体４の上昇位置で該規制片９が当接して位置する高さで切欠いたロックエリア３１と、該規制片９が下降自在に位置する高さで切欠いた昇降エリア３０を設けてなる請求項１記載の塗布栓。
【請求項３】
塗布体の天板１０上面には半球形状のマッサージ用突起１１を複数個設けて成る請求項１記載の塗布栓。
【請求項４】
塗布体の天板１０には複数個の吐出孔１２を設けて成る請求項１記載の塗布栓。
【請求項５】
ロック部２８のロックエリア３１と昇降エリア３０の境目に、規制片９の下端に所定の抵抗をもって乗り越え可能な突起８を設けてなる請求項１又は記載の塗布栓。
【発明の詳細な説明】
【技術分野】
【０００１】
本発明は、薬剤等内容液の頭皮への塗布とマッサージ効果が得られる塗布栓に関する。
【背景技術】
【０００２】
薬剤等内容液の頭皮への塗布とマッサージを行う薬剤噴射容器として特開平９−３８５３６号があり、これは内容液である薬剤を噴射すべく上端部に弁機構及びノズルを有する容器本体、組み付き部材、滑動部材、ガイド部材で構成され、滑動部材と容器本体との組み付けにより薬剤の噴射を円滑とし、使用時にボール等と筒体先端部との間に形成される薬剤噴出口の開閉動作をなくし、かつ滑動部材で頭皮のマッサージを行うものである（特許文献１参照）。
【特許文献１】特開平９−３８５３６号
【発明の開示】
【発明が解決しようとする課題】
【０００３】
内容液を収納した容器本体の口筒部に塗布栓を取り付けた場合は、塗布栓を下にして使用した時にシール性に不具合が生じて液漏れ、液だれが発生するという問題点がある。
【０００４】
また、マッサージ用突起は塗布栓の塗布面に突設されているため、該突起が頭皮にあったった時に心地良い使用感を得ることができ難いという問題点がある。
【０００５】
さらに、保管時、不使用時等の場合には薬剤等内容液を塗布する吐出口や塗布栓部分の汚れ等を防止するため、別にオーバーキャップが必要となり、このため製品の製造コストが高くなるという問題点がある。
【０００６】
そこで、本発明は上記問題点に鑑み案出されたもので、シール性を高めて内容液の液漏れを防止可能とし、塗布栓本体に昇降可能に組み付けた塗布体の下降を規制可能なロック機構を形成し、さらに頭皮へのマッサージ効果の高くすることが可能な塗布栓を提供する点にある。
【課題を解決するための手段】
【０００７】
本発明における請求項１の発明に係る塗布栓は、
容器本体２の口筒部３に密に、かつ不動に組み付く塗布栓本体１４と、該塗布栓本体１４に対して昇降及び回動変位可能かつ抜け出し不能に組み付く有頂円筒状の塗布体４と、該塗布体４を上方に付勢し、塗布栓本体１４と塗布体４間に介在されたスプリング２１とからなり、
前記塗布栓本体１４には、ロックエリア３１と昇降エリア３０を連続して設けたロック部２８を形成し、口筒部３上に位置するリング板状基板１７の内周端に、上部を拡開させたシール筒２４を上端部に設けると共に下端部に内径を大きくした垂下体２３を垂下設したガイド筒体２２を設けてなり、
塗布体４には、前記ロック部２８と組み合わさる規制片９を設けて、塗布体４の下降を規制及び下降解除を行い、かつ回動変位範囲を規制可能なロック機構Ｋを形成し、かつ天板１０下面には、内周面にシール筒２４の先端部を密摺接する内筒６を、該天板１０の中央部に設けた吐出孔１２を内側に位置させて垂下設し、さらに、天板１０の中央部に中心軸部７を垂下設し、該中心軸部７にはガイド筒体２２の内面に密摺接し、垂下体２３の内面で間隙２７ａを形成するピストン２６を設けてなる。
【０００８】
前記請求項１の発明の構成により、塗布体を上昇させた時は内筒の上端はシール筒で密摺接されて密にシール状態を維持し、ピストンはガイド筒体の内面に密摺接するため、塗布体を下にした姿勢でも内容液の液漏れや液だれは阻止される。次に、塗布体を下降させた場合は、ピストンが垂下体の内面位置に移動し、該ピストンと垂下体の内面間に間隙が形成され、内容液はこの間隙を通って吐出孔に至りこの吐出孔から吐出できる。従って、シール性を高めて内容液の液漏れや液だれを防止できるものである。
【０００９】
また、塗布体はスプリングの復元作用で昇降自在とした構造であるため、突起は頭皮に対する当たりが柔らかく、頭皮に対して適度なマッサージ効果が得られ、頭皮を傷めることがない。常に、心地良い使用感を得ることができる。従って、薬剤の擦り込み、マッサージ効果をより効果的にすることができる。
【００１０】
さらに、ロック機構により、塗布体の規制片を上昇させた状態でロック部のロックエリアに回動させた時は塗布体の下降が規制できる。従って、不使用時には塗布体は塗布体本体にロックでき、使用時は塗布体の規制片を昇降エリアに回動させて昇降自在な塗布体とすることができる。
【００１１】
また、請求項２の発明は、請求項１記載の塗布栓において、
ロック機構Ｋの規制片９は、塗布体４の天板１０の外端に周設した外筒５の内壁に内向きに突設し、ロック部２８は、塗布栓本体１４の基板１７上に立設した内筒部２０の上端を、塗布体４の上昇位置で該規制片９が当接して位置する高さで切欠いたロックエリア３１と、該規制片９が下降自在に位置する高さで切欠いた昇降エリア３０を設けてなる。
【００１２】
請求項２の発明の構成により、塗布体はロック及び規制解除がスムーズにでき、また塗布体の回動が規制できる。
【００１３】
また、請求項３の発明は、請求項１記載の塗布栓において、塗布体の天板１０上面には半球形状のマッサージ用突起１１を複数個設けて成る。
【００１４】
請求項３の発明の構成により、吐出孔付近にマッサージ用突起が設けてあるので薬剤塗布と同時に、頭部を擦ることにより頭皮のマッサージ効果を発揮できる。
【００１５】
また、請求項４の発明は、請求項１記載の塗布栓において、塗布体の天板１０には複数個の吐出孔１２を設けて成る。
【００１６】
請求項４の発明の構成により、薬剤塗布の際には複数の吐出孔から薬剤を吐出できるため、塗布作業が効率よくできる。
【００１７】
請求項５の発明は、請求項１又は２記載の塗布栓において、
ロック部２８のロックエリア３１と昇降エリア３０の境目に、規制片９の下端に所定の抵抗をもって乗り越え可能な突起８を設けてなる。
【００１８】
請求項５の発明の構成により、規制片の下端が突起を乗り越えて切り替えらるため、塗布体は勝手に回動えることがなく、かつ突起を乗り越えた時にはクリック音を発してロック状態から解除状態又はこの逆の操作をクリック音により使用者に知らせることができる。
【発明の効果】
【００１９】
本発明によれば、以下の効果を奏する。
請求項1の発明によれば、塗布体を上昇させた時は内筒の上端はシール筒で密摺接されて密にシール状態を維持し、ピストンはガイド筒体の内面に密摺接するため、塗布体を下にした姿勢でも内容液の液漏れや液だれは阻止される。次に、塗布体を下降させた場合は、ピストンが垂下体の内面位置に移動し、該ピストンと垂下体の内面間に間隙が形成され、内容液はこの間隙を通って吐出孔に至りこの吐出孔から吐出できる。従って、シール性を高めて内容液の液漏れや液だれを防止できるものである。
【００２０】
また、請求項1の発明によれば、塗布体はスプリングの復元作用で昇降自在とした構造であるため、突起は頭皮に対する当たりが柔らかく、頭皮に対して適度なマッサージ効果が得られ、頭皮を傷めることがない。常に、心地良い使用感を得ることができる。従って、薬剤の擦り込み、マッサージ効果をより効果的にすることができる。
【００２１】
さらに、請求項1の発明によれば、ロック機構により、塗布体の規制片を上昇させた状態でロック部のロックエリアに回動させた時は塗布体の下降が規制できる。不使用時には塗布体は塗布体本体にロックでき、使用時は塗布体の規制片を昇降エリアに回動させて昇降自在な塗布体とすることができる。従って、不使用時には塗布体は塗布体本体にロックできるため、誤操作防止を目的とするオーバーキャップが不要となり、かつ製造上はコスト削減にもつながる。
【００２２】
請求項２の発明によれば、塗布体のロック及び規制解除がスムーズにでき、また塗布体の回動が規制できる。
【００２３】
請求項３の発明によれば、吐出孔付近にマッサージ用突起が設けてあるので薬剤塗布と同時に、頭部を擦ることにより頭皮のマッサージ効果を大きくすることができる。
【００２４】
請求項４の発明によれば、薬剤塗布の際には複数の吐出孔から薬剤を吐出できるため、塗布作業が効率よくできる。
【００２５】
請求項５の発明によれば、規制片の下端が突起を乗り越え、使用中に塗布体が回ってロック機構が働くのを防止し、かつ突起を乗り越えた時にはクリック音を発してロック状態から解除状態、又はこの逆の操作を使用者に知らせることができる。従って、使用者は塗布栓を正逆回動操作させ、クリック音だけで操作の切り替え状態を知ることができて、操作が極めて便利である。
【発明を実施するための最良の形態】
【００２６】
本発明の実施例を、図１〜図６を参照して説明する。
本発明の塗布栓１は、図1のように、容器本体２の口筒部３に密に、かつ不動に組み付く塗布栓本体１４と、該塗布栓本体１４に対して昇降及び回動変位可能かつ抜け出し不能に組み付く有頂円筒状の塗布体４と、該塗布体４を上方に付勢し、塗布栓本体１４と塗布体４間に介在されたスプリング２１とから構成されている。前記スプリング２１は、常時、塗布体４をスプリング作用で上昇状態を維持し、容器本体２を逆さにしても内容液は液漏れしないようにされている。
【００２７】
前記塗布栓本体１４の基板１７の外周端に周設した外筒部１５の上端にストッパー１６を設け、該ストッパー１６に係合する係止片１３を、天板１０の外周端に周設された外筒５の外面下端に設けて抜け出し不能に組み付けられている。
【００２８】
前記塗布栓本体１４は、図３、図４のように、ロックエリア３１と昇降エリア３０を連続して切欠して設けたロック部２８が形成されている。
また、塗布栓本体１４は、図１、図２のように、容器本体２の口筒部３上に位置するリング板状の基板１７の内周端に、上部を拡開させたシール筒２４を上端部に設け、かつ下端部に傾斜面を介して内径を大きくした垂下体２３を垂下設したガイド筒体２２が設けられている。
【００２９】
次に、塗布体４は、図１、図３、図４のように、その内部に前記ロック部２８に組み合わさる規制片９が設けてあり、ロック部２８と規制片９の組み合わせにより、塗布体４の下降を規制及び下降解除を行うと共に回動変位範囲を規制するロック機構Ｋが形成されている。
【００３０】
また、天板１０下面には、内周面にシール筒２４の先端部を密摺接する内筒６を、該天板１０の中央部に設けた吐出孔１２を内側に位置させて垂下設し、さらに、天板１０の中央部に中心軸部７を垂下設し、該中心軸部７にはガイド筒体２２の内面に密摺接し、垂下体２３の内面で間隙２７ａを形成するピストン２６が設けられている。
【００３１】
前記ガイド筒体２２の下端外面には当接段部２２ａを設け、この当接段部２２ａに内筒６の下端が当接して塗布体４の下降を規制している。
【００３２】
また、ピストン２６を下端に設けたピストン体２５は、中心軸部７とは異なった軟質性合成樹脂で形成して中心軸部７の下端に一体的に取り付け、密に摺接させてシール性を高めてもよい。
【００３３】
図1、図2のように、内筒６の内面と中心軸部７間より形成された通路２７は、ピストン２６が垂下体２３の位置にある時、内溶液が矢印で示したように、間隙２７ａを通過後、通路２７を通って吐出孔１２に導かれる。
【００３４】
前記ロック機構Ｋの規制片９は、塗布体４の天板１０の外端に周設した外筒５の内壁に内向きに突設されている。
【００３５】
また、ロック部２８は、塗布栓本体１４の基板１７上に立設した内筒部２０の上端を、塗布体４の上昇位置で該規制片９が当接して位置する高さで切欠いたロックエリア３１と、該規制片９が下降自在に位置する高さで切欠いた昇降エリア３０が設けられている。
【００３６】
前記規制片９は、塗布体４の１箇所に限られず、複数箇所設けてもよい。また、ロック部２８は、規制片９の設置数に対応して複数箇所設けてもよい。
【００３７】
前記塗布体の天板１０上面には、図５のように、半球形状のマッサージ用突起１１を複数個設け、この複数個のマッサージ用突起１１でマッサージ効果を高くするようにしてもよい。
【００３８】
また、マッサージ用突起１１は半球状に限定されず、マンサージ効果の出る形状であればよく、又大小のマッサージ用突起１１を組み合わせて設けてもよい。
【００３９】
また、前記塗布体の天板１０には複数個の吐出孔１２を設け、吐出量を多くして内溶液の塗布を効率的にできるようにしてもよい。
【００４０】
ロック部２８のロックエリア３１と昇降エリア３０の境目に、規制片９の下端に所定の抵抗をもって乗り越え可能な突起８を設けて、使用時における塗布体４の回転を規制して誤作動を防止し、また、規制片９がこの突起８を乗り越えた時クリック音を発する。
【００４１】
図１は塗布体４の上昇時（ロック時）のＣ―Ｃ断面図、図２は塗布体４の下降時の中央縦断面図、図６は頭皮３２に塗布する時の使用状態図を示していて、使用時には塗布体４の規制片９をロックエリア３１から昇降エリア３０に回動させる。このロックエリア３１から昇降エリア３０への切り替えの際に、規制片９は突起８を所定の抵抗をもって乗り越え、乗り越えた時にクリック音を出すので切り替えが音で分る。そして、規制片９を昇降エリア３０に切り替えて塗布体４を頭皮３２に擦るように当てると、塗布体４はスプリング９の復元作用により昇降自在となり、頭皮に適度のマッサージ効果を与えながら内溶液を塗布することができる。また、使用時において、塗布体４は突起８の抵抗により誤って乗り越えて誤作動することが防止できる。さらに、スプリング２１の復元力により、常時、塗布体４を上昇状態は維持され、容器本体２は逆さにしても内容液は液漏れしない。
【００４２】
また、不使用時は、塗布体４の規制片９を昇降エリア３０からロックエリア３１に回動させて切り替え、該塗布体４がロックされる。この規制片９をロックエリア３１から昇降エリア３０への切り替える際も、同様に規制片９が突起８を乗り越えた時にクリック音を発し切り替え操作を知らせる。
【図面の簡単な説明】
【００４３】
【図１】本発明の実施例の、塗布体上昇時（ロック時）のＣ―Ｃ断面図。
【図２】本発明の実施例の、塗布体下降時の中央縦断面図。
【図３】Ａ矢視図。
【図４】Ｂ―Ｂ断面図である。
【図５】塗布栓の平面図。
【図６】頭皮に塗布する時の使用状態図。
【符号の説明】
【００４４】
１    塗布栓
２    容器本体
３    口筒部
４    塗布体
５    外筒
６    内筒
７    中心軸部
８    突起
９    規制片
１０  天板
１１  マッサージ用突起
１２  吐出口
１３  係止片
１４  塗布体本体
１５  外筒部
１６  ストッパー
１７  基板
１９  シール筒
２０  内筒部
２１  スプリング
２２  ガイド筒体
２２ａ  当接段部
２３  垂下体
２４  シール筒
２５  ピストン体
２６  ピストン
２７  通路
２７ａ  間隙
２8  ロック部
３０  ロックエリア
３１  昇降エリア
３２  頭皮
Ｋ    ロック機構
【図１】
2005104544.tif 000003
【図２】
2005104544.tif 000004
【図３】
2005104544.tif 000005
【図４】
2005104544.tif 000006
【図５】
2005104544.tif 000007
【図６】
2005104544.tif 000008